(57)【要約】【課題】針管や針管を保持する保持部材に表面処理を施さなくても、針管が保持部材から抜けないようにすること。【解決手段】注射針組立体１は、針管２と、ハブ３とを備えている。針管２は、針管本体４と膨出部５を有している。針管本体４には、生体に穿刺可能な針先が設けられている。膨出部５は、針管本体４を軸方向にプレス加工することにより、針管本体４の周方向に連続する環状に形成されている。ハブ３は、針管２の膨出部５が係合される係合部３８ａを有し、針管２を保持する。【選択図】図１
2011011000.tif 000002
【特許請求の範囲】
【請求項１】
生体に穿刺可能な針先が設けられた針管本体と、前記針管本体を軸方向にプレス加工することにより形成され、前記針管本体の周方向に連続する環状の膨出部とを有する針管と、
前記膨出部が係合される係合部を有し、前記針管を保持する保持部材と、
を備えることを特徴とする医療器具。
【請求項２】
前記針管本体の外径は、１０Ｇ〜３６Ｇである
ことを特徴とする請求項１に記載の医療器具。
【請求項３】
前記膨出部は、前記針管本体の周方向に盛り上がる第１の膨出片と、前記第１の膨出片に連続し、かつ折り返されて重ね合わされる第２の膨出片とを有する
ことを特徴とする請求項１又は２に記載の医療器具。
【請求項４】
前記膨出部の前記針先側の端面は、前記針管本体の軸方向に略直交する平面である
ことを特徴とする請求項１〜３に記載の医療器具。
【請求項５】
前記針管は、前記膨出部を２つ以上有する
ことを特徴とする請求項１〜４の何れかに記載の医療器具。
【請求項６】
生体に穿刺可能な針先が設けられた針管本体を軸方向にプレス加工し、前記針管本体の周方向に連続する環状の膨出部を形成するプレス工程と、
前記針管の前記膨出部が係合される係合部を有する保持部材に、前記針管を保持させる器具形成工程と、
を有することを特徴とする医療器具の製造方法。
【請求項７】
前記プレス工程は、前記針管本体の軸方向に所定の間隔をあけて配置された第１の挟持部及び第２の挟持部により前記針管本体を挟持し、前記第１の挟持部と前記第２の挟持部を前記針管本体の軸方向に接近させて前記膨出部を形成する
ことを特徴とする請求項６記載の医療器具の製造方法。
【請求項８】
前記器具形成工程は、前記保持部材と前記針管を一体成形する
ことを特徴とする請求項６又は７記載の医療器具の製造方法。
【請求項９】
前記器具形成工程は、接着剤を用いて前記保持部材に前記針管を固定する
ことを特徴とする請求項６又は７記載の医療器具の製造方法。
【請求項１０】
生体に穿刺可能な針先が設けられた針管本体と、
前記針管本体を軸方向にプレス加工することにより形成され、前記針管本体の周方向に連続する環状の膨出部と、を備える
ことを特徴とする針管。
【発明の詳細な説明】
【技術分野】
【０００１】
本発明は、生体に穿刺される針管、その針管を用いた医療器具及び医療器具の製造方法に関する。
【背景技術】
【０００２】
薬液の注入または体液の採取等を行う場合に使用される注射針（針管）の材質としては、一般的にステンレス鋼が用いられている。そして、針管の一端には、生体に穿刺可能な針先が設けられている。このような針管は、樹脂によって形成されたハブなどの保持部材に固定され、医療器具を構成する。
【０００３】
針管を保持部材に固定する方法としては、例えば、インサート成形によって固定する方法が知られている（特許文献１）。そして、インサート成形を行う場合に、針管の外周に酸処理、プラズマ処理のような化学処理や、ブラスト処理のような粗面加工等を行なって、針管と保持部材との密着性を向上させることが知られている（特許文献２）。また、針管を保持部材に固定するその他の方法としては、接着剤を用いた方法が知られている。
【先行技術文献】
【特許文献】
【０００４】
【特許文献１】特開２００２−３１５７４０号公報
【特許文献２】特開２００５−１５２３６３号公報
【発明の概要】
【発明が解決しようとする課題】
【０００５】
しかしながら、特許文献１に記載されているようなインサート成形を用いる方法では、針管の表面は滑らかであるため、針管が保持部材から外れてしまうという心配があった。そこで、特許文献２に記載されているように、針管に表面処理を施して針管と保持部材の密着性を向上させると、作業工数が増加し、生産効率の低下を招いてしまう。
【０００６】
また、接着剤を用いて針管と保持部材を固定する場合においても、針管又は保持部材に接着剤の密着性を向上させるための表面処理を施す必要があった。
【０００７】
針管は一般的にステンレスなどの金属により形成され、保持部材はポリプロピレン、ポリエチレンなどの樹脂により形成される。一般的な接着剤は、金属に対する接着特性が優れていると、樹脂に対する接着特性が弱く、樹脂に対する接着特性が優れていると、金属に対する接着特性が弱くなる。そのため、使用する接着剤に応じて針管又は保持部材に接着剤の密着性を向上させるための表面処理を施す必要があった。
【０００８】
本発明は、このような状況に鑑みてなされたものであり、針管や針管を保持する保持部材に表面処理を施さなくても、針管が保持部材から抜けないようにすることを目的とする。
【課題を解決するための手段】
【０００９】
本発明の医療器具は、針管と、保持部材とを備えている。針管は、針管本体と膨出部を有している。針管本体には、生体に穿刺可能な針先が設けられている。膨出部は、針管本体を軸方向にプレス加工することにより、針管本体の周方向に連続する環状に形成されている。保持部材は、針管の膨出部が係合される係合部を有し、針管を保持する。
【００１０】
本発明の医療器具の製造方法は、プレス工程と、器具形成工程とを有している。プレス工程は、生体に穿刺可能な針先が設けられた針管本体を軸方向にプレス加工し、針管本体の周方向に連続する環状の膨出部を形成する。器具形成工程は、針管の前記膨出部が係合される係合部を有する保持部材に、前記針管を保持させる。
【００１１】
本発明の針管、医療器具および医療器具の製造方法では、針管本体を軸方向にプレス加工することにより、針管本体の周方向に連続する環状の膨出部を針管に形成する。この針管の膨出部は、保持部材の係合部に係合する。これにより、保持部材に対する針管の移動が係止され、針管が保持部材から抜けることを防止することができる。
【発明の効果】
【００１２】
本発明の針管、医療器具および医療器具の製造方法によれば、針管や保持部材に表面処理を施さなくても、針管が保持部材から抜けないようにすることができる。
【図面の簡単な説明】
【００１３】
【図１】本発明の医療器具の第１の実施の形態を示す断面図である。
【図２】本発明の医療器具の第１の実施の形態に係る針管における膨出部の製造方法を説明する説明図である。
【図３】本発明の注射針組立体の第１の実施の形態に係る膨出部の断面図である。
【図４】本発明の医療器具の第２の実施の形態の形態を示す断面図である。
【図５】本発明の医療器具の第３の実施の形態の形態を示す断面図である。
【図６】本発明の医療器具の第４の実施の形態の形態を示す断面図である。
【発明を実施するための形態】
【００１４】
以下、本発明の針管、医療器具および医療器具の製造方法を実施するための最良の形態について、図面を参照して説明する。なお、各図において共通の部材には、同一の符号を付している。
また、説明は以下の順序で行う。
１．第１の実施の形態
２．第２の実施の形態
３．第３の実施の形態
４．第４の実施の形態
【００１５】
１．第１の実施の形態
［医療器具の構成例］
まず、本発明の医療器具の第１の実施の形態の構成例について、図１を参照して説明する。
図１は、本発明の医療器具の第１の実施の形態を示す断面図である。
【００１６】
医療器具１は、薬液の注入または体液の採取等を行う場合に用いられる注射針組立体である。この医療器具（以下、「注射針組立体」という）１は、中空の針管２と、針管２を保持するハブ３を備えている。なお、注射針組立体１のハブ３に破線で示すシリンジ９を接続することによって、薬剤注射装置が構成される。
【００１７】
［針管］
針管２は、針管本体４と、この針管本体４と一体に形成される膨出部５を有している。針管本体４は、１０Ｇ（外径約３．４ｍｍ）から３６Ｇ（外径約０．１ｍｍ）のサイズのものを使用し、好ましくは１４Ｇ（外径約２．１ｍｍ）から３６Ｇ、さらに好ましくは２８Ｇ（外径約０．３６ｍｍ）から３６Ｇのサイズのものを用いることができる。この針管本体４の一端には、針先を鋭角にするための刃面４ａが形成されている。
【００１８】
針管本体４の材料としては、例えば、ステンレス鋼を挙げることができるが、これに限定されるものではなく、アルミニウム、アルミニウム合金、チタン、チタン合金その他の金属を用いることができる。また、針管２は、ストレート針だけでなく、両刀針や少なくとも一部がテーパー状となっているテーパー針を用いることができる。テーパー針としては、針先端部に比べて基端部が太い径を有しており、その中間部分をテーパー構造とすればよい。また、針管２の断面形状は、円形だけでなく、三角形等の多角形であってもよい。
【００１９】
膨出部５は、針管本体４の任意の位置に設けられている。この膨出部５は、針管本体４を軸方向にプレス加工することにより、針管本体４の周方向に連続する環状の突部として形成されている。膨出部５の直径は、針管本体４の外径の１．１倍から３倍が好ましい。この膨出部５を有する針管２の製造方法については、後で詳しく説明する。膨出部５の一方の端面５ａは、針管本体の基端側を向いており、他方の端面５ｂは、針先側を向いている。膨出部５の端面５ａ,５ｂは、針管本体４の軸方向に略直交する平らな面となっている。なお、本実施の形態においては、膨出部５を針管本体４の任意の位置に設けているが、膨出部５は、針管本体４をハブ３の針保持部８に固定することができるように針保持部８と対応する位置に設けなければならない。なお、針保持部８と対応する範囲内であれば、膨出部５は任意の位置に設けることができる。
【００２０】
［ハブ］
ハブ３は、針管２を保持する保持部材の一具体例を示すものである。このハブ３は、ポリカーボネート、ポリプロピレン、ポリエチレン等の合成樹脂によって形成されており、インサート成形又は溶着により針管２と一体成形されている。
【００２１】
ハブ３は、略円筒状に形成されており、筒部６と、フランジ部７と、針保持部８とを有している。筒部６の筒孔６ａは、針管２の針孔４ｂに連通している。シリンジ９は、筒部６の一端から筒孔６ａに挿入され、ハブ３に着脱可能に接続される。フランジ部７は、筒部６の一端に設けられている。このフランジ部７は、シリンジ９に接触してもよい。
【００２２】
針保持部８は、筒部６の他端に連続して設けられており、先端側が細くなるような略円錐台形に形成されている。この針保持部８は、針管２（針管本体４）の中間部を包んで固定している。針保持部８の中間部は、針管２の膨出部５に密着して係合する係合部８ａになっている。係合部８ａに針管２の膨出部５を係合させることにより、針管２は、針保持部８に対する移動が阻止される。その結果、ハブ３から針管２が抜けることを防止することができる。
【００２３】
［シリンジ］
シリンジ９は、薬剤注射装置を使用する際に薬剤を充填させるものでもよく、予め薬剤が充填されたプレフィルドシリンジであってもよい。また、シリンジ９に充填される薬剤としては、ワクチンを挙げることができるが、サイトカインなどの高分子物質を用いたものや、ホルモンであってもよい。また、針管本体４の他端にも刃面を設けることにより、針管２を両刀針とし、その他端がプレフィルドシリンジの栓体を貫通して薬液槽に連通するように構成することもできる。
【００２４】
［膨出部を有する針管の製造方法］
次に、膨出部５を有する針管２の製造方法について、図２を参照して説明する。
図２（ａ）は、上金型と下金型によって針管２を挟持する状態を説明する説明図である。図２（ｂ）は、上金型と下金型を用いて針管２を軸方向にプレス加工した状態の説明図である。図２（ｃ）は、プレス加工によって膨出部が形成された状態の説明図である。
【００２５】
膨出部５は、針管本体４を軸方向にプレス加工することによって形成される。このプレス加工を行う装置は、一対の上金型１１Ａ,１１Ｂと、一対の下金型１２Ａ,１２Ｂを備えている。
【００２６】
一対の上金型１１Ａ,１１Ｂは、第１の方向Ｘに並べて設けられており、それぞれ第１の方向Ｘと、この第１の方向Ｘに直交する第２の方向Ｙに移動可能になっている。上金型１１Ａの下面には、係合溝１４Ａが設けられており、上金型１１Ｂの下面には、係合溝１４Ｂが設けられている。これら係合溝１４Ａ,１４Ｂは、それぞれ第１の方向Ｘに延びており、互いに第１の方向Ｘに対向している。係合溝１４Ａ,１４Ｂは、それぞれ断面形状が三角形の同一の形状に形成されている。一対の上金型１１Ａ,１１Ｂの係合溝１４Ａ,１４Ｂには、針管本体４の周面が係合される。
【００２７】
一対の下金型１２Ａ,１２Ｂは、一対の上金型１１Ａ,１１Ｂと同様に、第１の方向Ｘに並べて設けられている。下金型１２Ａの上面は、上金型１１Ａの下面と第２の方向Ｙに対向しており、下金型１２Ｂの上面は、上金型１１Ｂの下面と第２の方向Ｙに対向している。下金型１２Ａは、上金型１１Ａと一緒に第１の方向Ｘへ移動するようになっている。また、下金型１２Ｂは、上金型１１Ｂと一緒に第１の方向Ｘへ移動するようになっている。
【００２８】
下金型１２Ａの上面には、係合溝１５Ａが設けられており、下金型１２Ｂの上面には、係合溝１５Ｂが設けられている。これら係合溝１５Ａ,１５Ｂは、それぞれ第１の方向Ｘに延びており、互いに第１の方向Ｘに対向している。また、係合溝１５Ａは、上金型１１Ａの係合溝１４Ａと第２の方向Ｙに対向しており、係合溝１５Ｂは、上金型１１Ｂの係合溝１４Ｂと第２の方向Ｙに対向している。係合溝１５Ａ,１５Ｂは、それぞれ断面形状が三角形の同一の形状に形成されている。
【００２９】
一対の下金型１２Ａ,１２Ｂの係合溝１５Ａ,１５Ｂには、針管本体４の周面が係合される。つまり、針管本体４は、上金型１１Ａ及び下金型１２Ａに挟持されると共に、上金型１１Ｂ及び下金型１２Ｂに挟持される。
【００３０】
針管本体４に膨出部５を一体形成するには、まず、上金型１１Ａ（下金型１２Ａ）と上金型１１Ｂ（下金型１２Ｂ）との離間距離をＫ１（以下、「距離Ｋ１」という）に設定する。次に、下金型１２Ａ,１２Ｂの係合溝１５Ａ,１５Ｂに針管本体４を挿入する（図３（ａ）参照）。
【００３１】
次に、上金型１１Ａ,１１Ｂを第２の方向Ｙに移動させ、それぞれ下金型１２Ａ,１２Ｂに当接させる。これにより、針管本体４は、上金型１１Ａ及び下金型１２Ａから構成される第１の挟持部１８によって挟持されると共に、この第１の挟持部１８から距離Ｋ１離れた位置で上金型１１Ｂと下金型１２Ｂから構成される第２の挟持部１９によって挟持される。
【００３２】
このとき、針管本体４は、係合溝１４Ａ,１４Ｂと係合溝１５Ａ,１５Ｂによって形成される断面が四角形の嵌合部１７に嵌合される。つまり、針管本体４は、嵌合部１７の４つの平面に押圧されて固定されている。したがって、上金型１１Ａ,１１Ｂ及び下金型１２Ａ,１２Ｂに針管本体４を確実に固定することができる。
【００３３】
次に、第１の挟持部１８と第２の挟持部１９を互いに接近させ、針管本体４をその軸方向にプレス加工する（図３（ｂ）参照）。これにより、針管本体４において第１の挟持部１８と第２の挟持部１９との間に位置する部分が周方向に盛り上がるように膨出する。
【００３４】
そして、第１の挟持部１８と第２の挟持部１９の離間距離がＫ２（以下、「距離Ｋ２」という）になると、第１の挟持部１８及び第２の挟持部１９の移動を停止する（図３（ｃ）参照）。なお、距離Ｋ２は、距離Ｋ１よりも短い（Ｋ１＞Ｋ２）。その結果、針管本体４の周方向に連続する環状の膨出部５が形成される。
【００３５】
膨出部５の直径及び厚みは、針管本体４の外径及び肉厚、並びに距離Ｋ１,Ｋ２によって変化する。また、プレス圧は、針管本体４の材質、外径及び肉厚、並びに距離Ｋ１,Ｋ２によって異なる。つまり、所定の針管に対して、プレス圧、距離Ｋ１，Ｋ２を適宜選択することで膨出部５の大きさを調整することができる。例えば、ステンレス製であって３０Ｇ（外径約０．３ｍｍ、肉厚約０．０８ｍｍ）の針管本体を使用し、距離Ｋ１を０．５ｍｍ、距離Ｋ２を０．１６ｍｍに設定して約３０ｋＮ（３トン）の力でプレス加工すると、直径約０．５６ｍｍの膨出部を形成することができる。
【００３６】
なお、膨出部５を形成する位置は、針管本体４に対する第１の挟持部１８及び第２の挟持部１９の位置によって任意に設定することができる。
【００３７】
［膨出部］
次に、膨出部５について、図３を参照して説明する。
図３は、針管２における膨出部５の断面図である。
【００３８】
膨出部５は、針管本体４の周方向に盛り上がる第１の膨出片２１と、この膨出片に連続し、かつ折り返されて重ね合わされる第２の膨出片２２からなっている。第１の膨出片２１は、針管本体４の一側に配置されており、上述した端面５ｂを形成している。また、第２の膨出片２２は、針管本体４の他側（ハブ側）に配置されており、上述した端面５ａを形成している。
【００３９】
第１の膨出片２１と第２の膨出片２２は、針管本体４の軸方向に重ね合わされている。そして、第１の膨出片２１と第２の膨出片２２との間には、間隙が生じていない。また、第１の膨出片２１及び第２の膨出片２２の形成によって、針管本体４の針孔４ｂが狭められることはない。したがって、膨出部５を形成しても、針管本体４の針孔４ｂを通る薬剤の流動を妨げる心配がない。
【００４０】
［医療器具の製造方法］
次に、医療器具である注射針組立体１の製造方法について説明する。
注射針組立体１の製造方法では、プレス工程と、器具形成工程が行われる。
【００４１】
プレス工程では、針先が設けられた針管本体４を軸方向にプレス加工し、針管本体４の周方向に連続する環状の膨出部５を形成する。このプレス工程については、上述の膨出部を有する針管の製造方法において詳細に説明したため、ここでの説明を省略する。
【００４２】
器具形成工程では、保持部材であるハブ３に針管２を保持させる。本実施の形態では、インサート成形又は溶着により針管２とハブ３を一体成形する。これにより、針管２の膨出部５が針保持部８の係合部８ａに係合される。膨出部５と針保持部８の係合部８ａとの係合位置は、任意に選択可能であるが、インサート成形が可能な位置が望ましく、係合がより強固となる位置がより好ましい。その結果、ハブ３から針管２が抜けることを防止することができる。したがって、針管２にハブ３との密着性を向上させるため表面処理を施さなくても、針管が保持部材から抜けないようにすることができる。
【００４３】
２．第２の実施の形態
［医療器具の構成例］
次に、本発明の医療器具の第２の実施の形態の構成例について、図４を参照して説明する。
図４は、本発明の医療器具の第２の実施の形態を示す断面図である。
【００４４】
医療器具３１は、薬液の注入または体液の採取等を行う場合に用いられる注射針組立体である。この医療器具（以下、「注射針組立体」という）３１は、第１の実施の形態の注射針組立体１（図１参照）と同様な構成を有している。
【００４５】
注射針組立体３１が注射針組立体１と異なるところは、針管３２の２つの膨出部３５Ａ,３５Ｂと、ハブ３３の針保持部３８のみである。そのため、ここでは、２つの膨出部３５Ａ,３５Ｂと針保持部３８について説明し、注射針組立体１と共通する部分には同一の符号を付して重複した説明を省略する。
【００４６】
針管３２の２つの膨出部３５Ａ,３５Ｂは、針管本体４の中間部に所定の間隔をあけて配置されている。この膨出部３５Ａと膨出部３５Ｂとの間隔は、任意に設定することができる。なお、膨出部３５Ａと膨出部３５Ｂとの間隔の最小の距離は、上述した第１の挟持部１８又は第２の挟持部１９の係合溝１４Ａ，１４Ｂ，１５Ａ，１５Ｂの長さによって決定される。
【００４７】
２つの膨出部３５Ａ,３５Ｂは、第１の実施の形態に係る膨出部５と同様に、針管本体４を軸方向にプレス加工することにより、針管本体４の周方向に連続する環状の突部として形成されている。このプレス加工は、例えば、膨出部３５Ａを形成するための第１のプレス加工と、膨出部３５Ｂを形成するための第２のプレス加工からなる。
【００４８】
膨出部３５Ａの一方の端面３６ａは、針管本体の基端側を向いており、他方の端面３６ｂは、針先側を向いている。また、膨出部３５Ｂの一方の端面３７ａは、針管本体の基端側を向いており、他方の端面３７ｂは、針先側を向いて膨出部３５Ａ端面の３６ａに対向している。膨出部３５Ａ,３５Ｂの端面３６ａ,３６ｂ,３７ａ,３７ｂは、針管本体４の軸方向に略直交する平らな面となっている。
【００４９】
ハブ３３の針保持部３８は、筒部６の他端に連続して設けられており、先端側が細くなるような略円錐台形に形成されている。この針保持部３８は、針管３２（針管本体４）の中間部を包んで固定している。針保持部３８の中間部は、針管３２の膨出部３５Ａ,３５Ｂに密着して係合する係合部３８ａになっている。係合部３８ａに針管３２の膨出部３５Ａ,３５Ｂを係合させることにより、針管３２は、針保持部３８に対する移動が阻止される。その結果、ハブ３３から針管３２が抜けることを防止することができる。
【００５０】
注射針組立体３１では、ハブ３３の係合部３８ａに対して針管３２の膨出部３５Ａ,３５Ｂがそれぞれ係合される。つまり、針管３２の抜け止めが２つ設けられている。そのため、ハブ３３から針管３２が抜けることに対する抵抗力を増加させることができ、針管３２の抜け防止効果を向上させることができる。なお、本実施の形態に係る針管としては、３つ以上の膨出部を設ける構成にすることもできる。
【００５１】
注射針組立体３１の製造方法については、上述した注射針組立体１の製造方法と同様であるため、説明を省略する。
【００５２】
３．第３の実施の形態
［医療器具の構成例］
次に、本発明の医療器具の第３の実施の形態の構成例について、図５を参照して説明する。
図５は、本発明の医療器具の第３の実施の形態を示す断面図である。
【００５３】
医療器具４１は、薬液の注入または体液の採取等を行う場合に用いられる注射針組立体である。この医療器具（以下、「注射針組立体」という）４１は、第１の実施の形態の注射針組立体１（図１参照）と同様な構成を有している。
【００５４】
注射針組立体４１が注射針組立体１と異なるところは、針管４２の膨出部４５と、ハブ４３の針保持部４８のみである。そのため、ここでは、膨出部４５と針保持部４８について説明し、注射針組立体１と共通する部分には同一の符号を付して重複した説明を省略する。
【００５５】
針管４２の膨出部４５は、第１の実施の形態に係る膨出部５と同一の形状になっており、端面４５ａ,４５ｂを有している。この膨出部４５が膨出部５と異なるところは、針管本体４に設けられる位置のみである。膨出部４５は、針管本体４の中間部から基端側（針先と反対側）にずれた位置に設けられている。
【００５６】
ハブ４３は、第１の実施の形態に係るハブ３と同様に、略円筒状に形成されており、筒部６と、フランジ部７と、針保持部４８とを有している。このハブ４３には、別体として設けられた針管４２が固定される。ハブ４３の材質としては、ポリカーボネート、ポリプロピレン、ポリエチレン等の合成樹脂を用いてもよく、また、ステンレス、アルミニウム等の金属を用いてもよい。
【００５７】
ハブ４３の針保持部４８は、筒部６の他端に連続して設けられており、先端側が細くなるような略円錐台形に形成されている。この針保持部４８には、針管４２の中間部が貫通している。また、針保持部４８には、筒部６の筒孔６ａに連通する係合凹部４９が設けられている。係合凹部４９の底面４９ａは、ハブ４３の軸方向に対して略直交する平らな面になっている。この係合凹部４９の底面４９ａには、針管４２に設けた膨出部４５の端面４５ｂが係合する。
【００５８】
針管４２は、針保持部４８を貫通した状態で係合凹部４９に接着剤５０を塗布することにより、ハブ４３に固定されている。接着剤５０としては、ハブ４３に対する接着特性が優れているものを使用する。この接着剤５０としては、シアノアクリレートやエポキシ樹脂、光硬化性樹脂等を挙げることができるが、その他の樹脂によって生成されたものであってもよい。
【００５９】
膨出部４５の端面４５ｂを係合凹部４９の底面４９ａに係合させることにより、針管４２は、針保持部４８の先端から抜ける方向への移動が阻止される。そして、係合凹部４９に接着剤５０を塗布することにより、針管４２は、針保持部４８の先端から抜ける方向以外の全方向への移動が阻止される。その結果、ハブ４３から針管４２が抜けることを防止することができる。
【００６０】
また、針管４２に対する接着剤５０の接着力が弱くても、針管４２の膨出部４５が硬化した接着剤５０に係合するため、針管４２の移動が阻止される。したがって、針管４２やハブ４３に接着剤の密着性を向上させるための表面処理を施さなくても、ハブ４３から針管４２が抜けることを防止することができる。
【００６１】
［医療器具の製造方法］
次に、医療器具である注射針組立体４１の製造方法について説明する。
注射針組立体４１の製造方法では、注射針組立体１の製造方法と同様に、プレス工程と、器具形成工程が行われる。
【００６２】
プレス工程では、針先が設けられた針管本体４を軸方向にプレス加工し、針管本体４の周方向に連続する環状の膨出部４５を形成する。このプレス工程については、上述の膨出部を有する針管の製造方法において詳細に説明したため、ここでの説明を省略する。
【００６３】
器具形成工程では、保持部材であるハブ４３に針管４２を保持させる。本実施の形態では、まず、ハブ４３の針保持部４８に針管４２の中間部を貫通させ、膨出部４５の端面４５ｂを係合凹部４９の底面４９ａに係合させる。次に、ハブ４３の係合凹部４９に接着剤５０を塗布し、針保持部４８に針管４２を固定する。
【００６４】
これにより、針保持部４８に対する針管４２の移動が阻止される。したがって、針管４２やハブ４３に接着剤の密着性を向上させるための表面処理を施さなくても、ハブ４３から針管４２が抜けることを防止することができる。
【００６５】
４．第４の実施の形態
［医療器具の構成例］
次に、本発明の医療器具の第４の実施の形態の構成例について、図６を参照して説明する。
図６は、本発明の医療器具の第４の実施の形態を示す断面図である。
【００６６】
医療器具５１は、薬液の注入または体液の採取等を行う場合に用いられる注射針組立体である。この医療器具（以下、「注射針組立体」という）５１は、第３の実施の形態の注射針組立体４１（図１参照）と同様な構成を有している。
【００６７】
注射針組立体５１が注射針組立体４１と異なるところは、ハブ５３の針保持部５８のみである。そのため、ここでは、針保持部５８について説明し、注射針組立体４１と共通する部分には同一の符号を付して重複した説明を省略する。
【００６８】
ハブ５３は、筒部６と、フランジ部７と、針保持部５８とを有している。このハブ５３には、別体として設けられた針管４２固定される。ハブ５３の材質としては、ポリカーボネート、ポリプロピレン、ポリエチレン等の合成樹脂を用いてもよく、また、ステンレス、アルミニウム等の金属を用いてもよい。
【００６９】
ハブ５３の針保持部５８は、筒部６の他端に連続して設けられており、先端側が細くなるような略円錐台形に形成されている。この針保持部５８には、針管４２の中間部が貫通している。また、針保持部５８には、先端面に開口する係合凹部５９が設けられている。係合凹部５９の底面５９ａは、ハブ５３の軸方向に対して略直交する平らな面になっている。この係合凹部５９の底面５９ａには、針管４２に設けた膨出部４５の端面４５ａが係合する。
【００７０】
針管４２は、針保持部５８を貫通した状態で係合凹部５９に接着剤５０を塗布することにより、ハブ５３に固定されている。このとき、膨出部４５の端面４５ａを係合凹部５９の底面５９ａに係合させることにより、針管４２は、針保持部５８の後端（筒部６側）から抜ける方向への移動が阻止される。したがって、皮膚等に穿刺するときに針管に加えられる抵抗によって針管４２がハブ５３から抜ける（離脱する）ことを確実に防止することができる。
【００７１】
［医療器具の製造方法］
次に、医療器具である注射針組立体５１の製造方法について説明する。
注射針組立体５１の製造方法では、注射針組立体１の製造方法と同様に、プレス工程と、器具形成工程が行われる。なお、プレス工程は、上述の膨出部を有する針管の製造方法において詳細に説明したため、ここでの説明を省略する。
【００７２】
器具形成工程では、保持部材であるハブ５３に針管４２を保持させる。本実施の形態では、まず、針管４２の他端部を針保持部５８の先端側から挿入し、膨出部４５の端面４５ａを係合凹部５９の底面５９ａに係合させる。次に、ハブ５３の係合凹部５９に接着剤５０を塗布し、針保持部５８に針管４２を固定する。
【００７３】
これにより、針保持部５８に対する針管２の移動が阻止される。このとき、針管４２に対する接着剤５０の接着力が弱くても、針管４２の膨出部４５が硬化した接着剤５０に係合するため、針管４２の移動が阻止される。したがって、針管４２やハブ５３に接着剤の密着性を向上させるための表面処理を施さなくても、ハブ５３から針管４２が抜けることを防止することができる。
【００７４】
以上、本発明の針管、医療器具および医療器具の製造方法の実施の形態について、その作用効果も含めて説明した。しかしながら、本発明の針管、医療器具および医療器具の製造方法は、上述の実施形態に限定されるものではなく、特許請求の範囲に記載した発明の要旨を逸脱しない範囲内で種々の変形実施が可能である。例えば、注射針組立体としては、一般的な注射針の他に翼付静注針（翼状針）、留置針、薬液が予め充填された針付きプレフィルドシリンジやインスリン用注射針（ペンニードル）等が挙げられる。また、本発明の医療器具は、注射針に限定されず、採血針にも適用可能である。
【００７５】
上述の実施の形態では、針管をハブに固定した注射針組立体を医療器具の例として説明したが、本発明の医療器具は、これに限定されるものではない。本発明の医療器具としては、針管と、その針管を保持する保持部材を備えていればよく、例えば、針管と、この針管を保持するシリンジを備えたものであってもよい。
【符号の説明】
【００７６】
１,３１,４１…注射針組立体（医療器具）、  ２…針管、  ３…ハブ（保持部材）、  ４…針管本体、  ５…膨出部、  ６…筒部、  ７…フランジ部、  ８…針保持部、  ８ａ…係合部、  ９…シリンジ、  １１Ａ,１１Ｂ…上金型、  １２Ａ,１２Ｂ…下金型、  １４Ａ,１４Ｂ,１５Ａ,１５Ｂ…係合溝、  １８…第１の挟持部、  １９…第２の挟持部、  ２１…第１の膨出片、  ２２…第２の膨出片
【図１】
2011011000.tif 000003
【図２】
2011011000.tif 000004
【図３】
2011011000.tif 000005
【図４】
2011011000.tif 000006
【図５】
2011011000.tif 000007
【図６】
2011011000.tif 000008